(57)【要約】      （修正有）【課題】視覚障害者用の無線式の音声通知システムにおいて、視覚障害者が外出時に無線送信機を忘れることがなく、また、自宅の位置を容易に確認できる視覚障害者用自宅場所通知のシステムを提供する。【解決手段】視覚障害者用自宅場所通知システムを、所定周波数の電波を発信する無線送信機２０と当該無線送信機のオンオフを切り替えるスイッチ３３とが設けられた白杖と、所定の通知音を発生する音響発生部３０と、前記所定周波数の電波を受信することで前記音響発生部を作動させる無線受信部とを有する、使用者の自宅玄関近傍に設置される通知音発生装置とから構成する。【選択図】図２
0003162074.tif 000002
【実用新案登録請求の範囲】
【請求項１】
所定周波数の電波を発信する無線送信機と当該無線送信機のオンオフを切り替えるスイッチとが設けられた白杖と、
所定の通知音を発生する音響発生部と、前記所定周波数の電波を受信することで音響発生部を作動させる無線受信部とを有する、使用者の自宅玄関近傍に設置される通知音発生装置と
から構成される視覚障害者用自宅場所通知システム。
【請求項２】
前記白杖の先端、側面、基端の少なくともいずれかに発光装置が設けられた請求項１に記載の視覚障害者用自宅場所通知システム。
【請求項３】
前記発光装置の発光時に音を発生する音響発生装置が前記白杖に設けられた請求項２に記載の視覚障害者用自宅場所通知システム。
【考案の詳細な説明】
【技術分野】
【０００１】
本考案は、視覚障害者が容易に自宅場所を認知できるようにするシステムに関する。
【背景技術】
【０００２】
視覚障害者が目的場所へ到る場合に、目的場所までの音声案内や道路に設けられた誘導標識などが利用される。しかし、このような案内により目的場所近傍まで行けても確かな目的場所がわからない場合も多い。このような問題に対して、下記特許文献には、ホテル、役所、郵便局、バス停留所、郵便ポスト、保健所、交差点などに無線受信機を設置するとともに、視覚障害者に携帯用無線送信機を持たせ、携帯用無線送信機の押しボタンスイッチを押すことで携帯用無線送信機から発生する電波を無線受信機が受信し、これに応じて、無線受信機に接続された音声合成拡声装置からメッセージが発せられる考案が開示されている。
この考案によれば、目的場所から音声メッセージが発せられるので視覚障害者は容易に目的地を確認することができる。
【先行技術文献】
【特許文献】
【０００３】
【特許文献１】実公平５-４１６９６号公報
【考案の概要】
【考案が解決しようとする課題】
【０００４】
ところで、上記考案における携帯用無線送信機は中央に押しボタンが設けられたケースに収容され、ベンダントとして首から下げたり、鎖を取り付けて衣服等にぶら下げたりする形態を有するため、出かけるときに忘れやすいという問題がある。また、受信装置が公共設備に設けられることが示されているが、装置が普及するまでは実質的に使用することができない。一方、視覚障害者は自宅に帰宅する場合に自宅近辺に到着しても自宅確認に大いに気を使うものであり、自宅を確認できる手段があると便利である。
本考案は、このような観点に鑑みて、無線式の音声通知システムにおいて視覚障害者が外出時に無線送信機を忘れることがなく、また、自宅の位置を容易に確認できるようにすることを課題とする。
【課題を解決するための手段】
【０００５】
上記課題を解決するために、本考案は次のような構成を有する。
請求項１に記載の考案は、所定周波数の電波を発信する無線送信機と当該無線送信機のオンオフを切り替えるスイッチとが設けられた白杖と、所定の通知音を発生する音響発生部と、前記所定周波数の電波を受信することで前記音響発生部を作動させる無線受信部とを有する、使用者の自宅玄関近傍に設置される通知音発生装置とから構成される視覚障害者用自宅場所通知システムである。
請求項２に記載の考案は、前記視覚障害者用自宅場所通知システムにおいて、前記白杖の先端、側面、基端の少なくともいずれかに発光装置が設けられたものである。
請求項３に記載の考案は、請求項２に記載の視覚障害者用自宅場所通知システムにおいて、前記白杖に前記発光装置の発光時に音を発生する音響発生装置が設けられたものである。
【考案の効果】
【０００６】
請求項１に記載の考案は、無線送信機が白杖に設けられており、視覚障害者は白杖なしに外出することはほぼ無いので、無線送信機を持たずに外出することを防ぐことができる。これにより、視覚障害者である使用者は、帰宅の際に、無線送信機のスイッチを入れることで自宅玄関近傍から通知音を発生させることができるので、確実な自宅位置の手がかりを得ることが可能となる。
【０００７】
請求項２に記載の考案は、白杖が発光するので外出時に周囲の人に視覚障害者であることを認識してもらいやすくすることができ、特に夜間に効果を発揮する。
請求項３に記載の考案は、白杖が発光するとともに音を出すので、さらに周囲の人から認識されやすくなり、また、発光と同時に音が鳴ることで発光装置のスイッチの切り忘れ防止にも役立つ。
【図面の簡単な説明】
【０００８】
【図１】実施形態に係る視覚障害者用自宅場所通知システムを構成する白杖の正面図である。
【図２】実施形態に係る視覚障害者用自宅場所通知システムを構成する白杖内の回路を模式的に示すブロック図である。
【図３】実施形態に係る視覚障害者用自宅場所通知システムを構成する通知音発生装置の回路を模式的に示すブロック図である。
【考案を実施するための形態】
【０００９】
以下、本考案の実施の形態について、図面を参照しながら説明する。
図１に本実施形態に係る視覚障害者用自宅場所通知システムを構成する白杖Ｘの正面図を示す。白杖Ｘは外観はほぼ一般的な白杖と同様であり、パイプ体からなる本体部１１、本体部１１の先端に固定される石突１２、本体部１１の基端側に設けられるグリップ１３とから構成される。本体部１１側面には、後述するＬＥＤからの光を透過するための貫通孔１１ａが、どの方向からでも光が見えるように複数の方向に向くように複数設けられている。また、グリップ１３には、後述する無線送信機２０用の押しボタンスイッチ２２が側面に設けられ、また、後述する発光・音響発生装置３０用の押しボタンボタンスイッチ３３が上面端部に設けられる。
【００１０】
白状Ｘ内部には、無線送信機２０及び発光・音響発生装置３０が内蔵されている。図２に白杖Ｘ内に設けられる無線送信機２０及び発光・音響発生装置３０の回路を模式的に表すブロック図を示す。
無線送信機２０は、所定の周波数の電波を発信する送信機本体２１、送信機本体２１をオンオフする前述した押しボタンスイッチ２２、電力を供給する電池２５とから構成される。
発光・音響発生装置３０は、前述した白杖の本体部１１の側面に設けられた貫通孔１１ａに対応する位置に設けられるＬＥＤ３１、本体部１１内部に設置されるブザー３２、ＬＥＤ３１及びブザー３２をオンオフする前述した押しボタンスイッチ３３、ＬＥＤ３１、ブザー３３に電源を供給する、無線送信機２０と共有の電池２５とから構成される。なお、ＬＥＤ３１は透明なアクリルケース内に収容される。
【００１１】
図３に本実施形態に係る視覚障害者用自宅場所通知システムを構成する通知音発生装置Ｙの回路を模式的に表すブロック図を示す。通知音発生装置Ｙは、所定の通知音を発生する音響発生部５０と、前記無線送信機２０が発信する周波数の電波を受信し、音響発生部５０を作動させる無線受信部４０から構成される。通知音発生装置Ｙは、使用者の自宅玄関近傍に設置される。
【００１２】
次に、以上のような構成を有する視覚障害者用自宅場所通知システムの使用方法について説明する。
まず、視覚障害者である使用者は、白杖Ｘを持って外出をする。そして、人通りの多い場所や夜間においては使用者は、発光・音響発生装置３０の押しボタンスイッチ３３を押して、ＬＥＤ３１を発光させるとともにブザー３２を鳴らすことで、周囲の人の注意を促すことができる。また、ＬＥＤ３１の発光やブザー３２の音が必要ない場合は、もう一度押しボタンスイッチ３３を押すことでこれらを停止することができる。白杖Ｘは、ＬＥＤ３１の発光とともにブザー３２も鳴るので、ＬＥＤ３１が発光しているかどうかが視覚障害者の使用者でも認識できるので、スイッチの切り忘れによる電池の消耗を抑えることができる。
その後、使用者の帰宅に際しては、自宅近傍において、使用者が無線送信機２０の押しボタンスイッチ２２を押すと、無線送信機２０より所定周波数の電波が送信され、自宅玄関近傍に設置された通知音発生装置Ｙの無線受信部４０がこれを受信して、音響発生部５０を作動させて通知音を発生させる。これにより、使用者は自宅の方向、距離などを把握でき、より確実に自宅の場所を認識することができる。
以上のように、本実施形態に係る視覚障害者用自宅場所通知システムは、白杖に無線送信機を内蔵することにより無線送信機の持ち出し忘れを防止でき、また、白杖の発光、ブザー音発生により周囲の認知を促すことができる。さらに、自宅玄関に通知音発生装置を設置するので簡易に設置でき、視覚障害者である使用者に自宅位置を容易に認識させることができる。
【符号の説明】
【００１３】
Ｘ  白杖
Ｙ  通知音発生装置
２０  無線送信機
２２  押しボタンスイッチ
３０  発光・音響発生装置
３１  ＬＥＤ
３２  ブザー
３３  押しボタンスイッチ
【図１】
0003162074.tif 000003
【図２】
0003162074.tif 000004
【図３】
0003162074.tif 000005